(57)【要約】【課題】閃光放電ランプ点灯装置において、降圧コンバータ等の電流制御回路の巻線部品が低温状態にある場合の回路効率及び使用条件を損なうことなく、高温状態における定電流制御時間を確保する。【解決手段】閃光放電ランプを閃光点灯させる閃光放電ランプ点灯装置において、入力電圧を昇圧して蓄電素子を充電完了電圧まで充電する昇圧充電回路、閃光放電ランプを始動させるとともに蓄電素子に充電された電圧から閃光放電ランプへの出力電流を制御する電流制御回路、電流制御回路を構成する巻線部品の温度を検出する温度測定部、及び昇圧充電回路及び電流制御回路を制御する制御部を備え、制御部は、検出される巻線部品の温度の上昇に対して充電完了電圧を上昇させるように構成される。【選択図】図１
2014032754.tif 000002
【特許請求の範囲】
【請求項１】
閃光放電ランプを閃光点灯させる閃光放電ランプ点灯装置であって、
入力電圧を昇圧して蓄電素子を充電完了電圧まで充電する昇圧充電回路、
前記閃光放電ランプを始動させるとともに前記蓄電素子に充電された電圧から前記閃光放電ランプへの出力電流を制御する電流制御回路、
前記電流制御回路を構成する巻線部品の温度を検出する温度測定部、及び
前記昇圧充電回路及び前記電流制御回路を制御する制御部
を備え、
前記制御部が、検出される前記巻線部品の温度の上昇に対して前記充電完了電圧を上昇させるように構成された閃光放電ランプ点灯装置。
【請求項２】
請求項１に記載の閃光放電ランプ点灯装置において、前記電流制御回路が、前記蓄電素子に充電された電圧を降圧して前記閃光放電ランプに定電流を通電する降圧チョッパ回路を含み、前記巻線部品が該降圧チョッパ回路を構成するチョークコイルである、閃光放電ランプ点灯装置。
【請求項３】
請求項２に記載の閃光放電ランプ点灯装置において、前記制御部が、前記温度測定部による検出温度から前記チョークコイルでの電圧降下を演算し、該演算された電圧降下と前記充電完了電圧の差が一定となるように前記昇圧充電回路を制御するように構成された閃光放電ランプ点灯装置。
【請求項４】
請求項３に記載の閃光放電ランプ点灯装置において、前記電流制御回路が、前記閃光放電ランプの始動時にパルス電圧を該閃光放電ランプに印加するイグナイタ回路をさらに含み、該イグナイタ回路が、２次巻線が前記チョークコイルに直列接続されたパルストランスを有し、
前記制御部が、前記検出温度又は前記演算されたチョークコイルでの電圧降下から前記パルストランスでの電圧降下を演算し、前記チョークコイル及び前記パルストランスの合計電圧降下と前記充電完了電圧の差が一定となるように前記昇圧充電回路を制御するように構成された閃光放電ランプ点灯装置。
【請求項５】
請求項１に記載の閃光放電ランプ点灯装置において、前記電流制御回路が、前記閃光放電ランプの始動時にパルス電圧を該閃光放電ランプに印加するイグナイタ回路を含み、前記巻線部品が、該イグナイタ回路を構成するパルストランスである、閃光放電ランプ点灯装置。
【請求項６】
請求項１から５のいずれか一項に記載の閃光放電ランプ点灯装置及び該閃光放電ランプ点灯装置に給電される前記閃光放電ランプを備え、該閃光放電ランプがキセノンランプからなるソーラーシミュレータ用光源ユニット。
【発明の詳細な説明】
【技術分野】
【０００１】
本発明は閃光放電ランプ点灯装置及びそれを用いたソーラーシミュレータ用光源ユニットに関する。
【背景技術】
【０００２】
太陽電池の光電変換特性などの各種太陽エネルギー利用機器の性能測定のために、自然太陽光のスペクトル分布を再現する擬似太陽光を被照射体に照射する擬似太陽光照射装置が知られている。このような装置では、例えば、発光長が１０００ｍｍ以上のキセノンランプ（以下、「ランプ」という）に直流のランプ電流が通電され、そのランプ電流値は点灯装置によって制御される。一般的には、点灯時のランプ電流は数十アンペア（例えば７０Ａ）、ランプ電圧は数百ボルト（例えば５００Ｖ）程度であり、このランプ電流／電圧が、１回の点灯あたり数十ミリ秒から数百ミリ秒にわたって通電／印加される。この出力状態が定電流又は定電力で制御され、点灯期間中に被照射体の性能が測定される。
【０００３】
上記の場合、ランプ電力が約３５ｋＷとなり、瞬時（例えば１００ミリ秒）とはいえ、この電力を商用電源から直接供給すると、同じ商用電源の系統の周辺機器に障害を及ぼすことや、商用電源と照射装置の間に容量の大きい接点及び配線が必要となることが問題となる。そこで一般には、照射装置内に点灯装置を設け、点灯装置において電力をコンデンサ等の蓄積素子に蓄積し、点灯指令に応じてその蓄積された電力をランプに供給する構成が採用される。
【０００４】
例えば、特許文献１は、ＡＣ入力電圧を昇圧してコンデンサに充電する昇圧充電回路、及びコンデンサに充電された電圧を降圧してランプへの出力電流を制御する電流制御回路
を備えるキセノンランプ点灯回路を開示する。昇圧充電回路が所定の充電完了電圧まで充電を行うと、充電電圧が所定値を下回るまで、電流制御回路はその充電電圧を電源としてランプ電流を定電流制御することができる。
【先行技術文献】
【特許文献】
【０００５】
【特許文献１】特開２０１１−１９２４１８号公報
【発明の概要】
【発明が解決しようとする課題】
【０００６】
ところで、上記の閃光放電ランプ点灯装置において、降圧コンバータ回路によるランプ放電動作を継続的に繰り返すと、各回路部品の温度が上昇する。特に、コイル部品が温度上昇するとその銅損が増加し、そのコイル部品における直流抵抗が増加することになる。例えばチョークコイルの温度上昇によりその直流抵抗が増加すると、低温状態の場合に比べてチョークコイルでの電圧降下が大きくなる。従って、ランプ電圧が一定であれば、コイル高温時では低温時に比べて、そのランプに一定電流を供給できる充電電圧の下限値（即ち、コイルの電圧降下とランプ電圧の合計値）が高くなる。言い換えると、コイル高温時では低温時に比べて、降圧コンバータ回路が定ランプ電流制御できる時間が短縮されてしまう。
【０００７】
また、この高温時のチョークコイルでの電圧降下を補償するために充電完了電圧を予め高めに設定しておくと、低温時に降圧チョッパ回路の入出力電圧の差が大きくなり、回路効率が低下することになる。またさらに、充電完了電圧が高めに設定されると、昇圧充電回路において１回の充電に要する時間が長くなり、点灯装置の使用条件（繰り返し点灯周期等）が制約されるという問題がある。
【０００８】
そこで、本発明は、昇圧充電回路及び降圧コンバータ等の電流制御回路を有する閃光放電ランプ点灯装置において、電流制御回路の巻線部品が低温状態にある場合の回路効率及び使用条件を損なうことなく、高温状態における定電流制御時間を確保できる構成を提供することを課題とする。
【課題を解決するための手段】
【０００９】
本発明の第１の側面は、閃光放電ランプを閃光点灯させる閃光放電ランプ点灯装置であって、入力電圧を昇圧して蓄電素子を充電完了電圧まで充電する昇圧充電回路、閃光放電ランプを始動させるとともに蓄電素子に充電された電圧から閃光放電ランプへの出力電流を制御する電流制御回路、電流制御回路を構成する巻線部品の温度を検出する温度測定部、及び昇圧充電回路及び電流制御回路を制御する制御部を備える。制御部は、検出される巻線部品の温度の上昇に対して充電完了電圧を上昇させるように構成される。
【００１０】
ここで、電流制御回路が、蓄電素子に充電された電圧から降圧して閃光放電ランプに定電流を通電する降圧チョッパ回路を含み、巻線部品は降圧チョッパ回路を構成するチョークコイルであればよい。
【００１１】
また、制御部が、温度測定部による検出温度からチョークコイルでの電圧降下を演算し、演算された電圧降下と充電完了電圧の差が一定となるように昇圧充電回路を制御するように構成してもよい。
【００１２】
またさらに、電流制御回路が、閃光放電ランプの始動時にパルス電圧を閃光放電ランプに印加するイグナイタ回路をさらに含み、イグナイタ回路が、２次巻線がチョークコイルに直列接続されたパルストランスを有し、制御部が、検出温度又は演算されたチョークコイルでの電圧降下からパルストランスでの電圧降下を演算し、チョークコイル及びパルストランスの合計電圧降下と充電完了電圧の差が一定となるように昇圧充電回路を制御するように構成してもよい。
【００１３】
また、電流制御回路が、閃光放電ランプの始動時にパルス電圧を閃光放電ランプに印加するイグナイタ回路を含み、巻線部品はイグナイタ回路を構成するパルストランスであってもよい。
【００１４】
本発明の第２の側面は、上記の閃光放電ランプ点灯装置及び閃光放電ランプ点灯装置に給電される閃光放電ランプを備え、閃光放電ランプがキセノンランプからなるソーラーシミュレータ用光源ユニットである。
【図面の簡単な説明】
【００１５】
【図１】本発明の実施例による閃光放電ランプ点灯装置を示す図である。
【図２】本発明の変形例による閃光放電ランプ点灯装置を示す図である。
【発明を実施するための形態】
【００１６】
実施例．
図１に本発明の実施例で使用する閃光放電ランプ点灯装置（以下、「点灯装置」という）を示す。点灯装置は、ＡＣ電源を整流平滑化する整流入力回路１００、整流入力回路１００の出力を昇圧して充電する昇圧充電回路２００、昇圧充電回路２００で充電されたエネルギーを閃光放電ランプ５０に投入するための降圧コンバータ回路３００、ランプ始動時に閃光放電ランプ５０を絶縁破壊させるためのイグナイタ回路４００、並びに充電回路２００、降圧コンバータ回路３００及びイグナイタ回路４００を制御するマイコンからなる制御部５００を備える。なお、以降の説明において、降圧コンバータ回路３００及びイグナイタ回路４００をまとめて電流制御回路というものとする。但し、上記及び以降の説明において、各回路素子が上記のどの回路に属するかは便宜的なものであり、本発明を拘束するものではない。
【００１７】
また、上記の点灯装置、点灯装置に接続されたランプ５０、及びランプ５０を内包する箱体を備えることによりソーラーシミュレータ用光源ユニット（擬似太陽光照射装置）を構成することがでる。点灯装置をソーラーシミュレータ用光源ユニットに用いる場合、ランプ５０はキセノンランプからなる。
【００１８】
整流入力回路１００は整流器１及び平滑コンデンサ２を備え、ＡＣ電源が整流器１によって全波整流されるとともに平滑コンデンサ２によって平滑化される。なお、本実施例では、整流入力回路１００にコンデンサインプット型のものと用いているが、力率改善回路等を用いてもよい。また、ＡＣ電源の代わりにＤＣ電源が入力電源となる場合は、整流入力回路１００は不要である。
【００１９】
昇圧充電回路２００は、昇圧回路部、蓄電回路部及びＰＷＭ制御回路７を備える。昇圧回路部は、トランジスタ３〜６からなるフルブリッジ回路、フルブリッジ回路の出力がその一次巻線に接続される昇圧トランス８、昇圧トランスの二次巻線に接続される整流器９、整流器９の出力側に接続される電流制限用コイル１０、充電電圧検出部１１、電流検出抵抗１２、誤差増幅器１３及び基準電源１４を備える。フルブリッジ回路（３〜６）はＰＷＭ制御回路７によってスイッチング制御される。蓄電回路部は蓄電素子１５を備える。なお、図１においては、蓄電素子１５として電解コンデンサを図示しているが、例えば電気二重層コンデンサ、バッテリー等、他の蓄電素子であってもよい。また、蓄電素子は直列接続構成において複数の蓄電素子が並列接続されるようにしてもよい。
【００２０】
充電動作中は、電流検出抵抗１２によって検出される電流値（電流検出抵抗１２に発生する電圧）が目標値（基準電源１４の電圧）に等しくなるように誤差増幅器１３及びＰＷＭ制御回路７が動作し、所定の充電電流で充電が行われる。充電電圧検出部１１によって検出される充電電圧がランプ電圧よりも充分に高い設定電圧（例えば、１０００Ｖ）に達すると、ＰＷＭ制御回路７はフルブリッジ回路の動作を一旦停止（又は充電電圧を保持）し、スタンバイ状態とする。ここで、ＰＷＭ制御回路７は充電完了信号を制御部５００に出力する。
【００２１】
降圧コンバータ回路３００は、本実施例では降圧チョッパ回路からなる。降圧コンバータ回路３００は、ＩＧＢＴ等の半導体スイッチ１６、ダイオード１７、チョークコイル１８、コンデンサ１９、電流検出抵抗２０、半導体スイッチ１６の導通時間を制御するＰＷＭ制御回路２１及び誤差増幅器２２を含む。イグナイタ回路４００は始動回路２３及びパルストランス２４及びを含み、パルストランス２４の２次巻線はチョークコイル１８に直列接続される。制御部５００は充電完了信号を受けて降圧コンバータ回路３００及びイグナイタ回路４００に点灯指令信号を出力する。降圧コンバータ回路３００のＰＷＭ制御回路２１は点灯指令信号に応じて動作を開始し、動作開始時点で、ランプ５０の両端に蓄電素子１５の充電完了電圧とほぼ等しい直流電圧（例えば、１０００Ｖ）が直ちに印加される。一方、イグナイタ回路４００の始動回路２３は点灯指令信号に応じて起動してパルストランス２４の１次巻線にパルス電圧を発生させ、パルストランスの１次／２次巻数比に応じて２次巻線に高圧パルスが発生する。上記の充電完了電圧に高圧パルスが重畳された電圧がランプに印加され、ランプ５０の絶縁破壊が起こる。
【００２２】
ランプ５０が絶縁破壊を起こすと、蓄電素子１５の充電電圧を電源として降圧コンバータ回路３００からの制限された電流がランプ５０に投入される。半導体スイッチ１６はＰＷＭ制御回路２１によってスイッチングされる。半導体スイッチ１６がオンの期間には蓄電素子１５→半導体スイッチ１６→チョークコイル１８→パルストランス２４の２次巻線→ランプ５０→蓄電素子１５の経路に電流が流れる。一方、半導体スイッチ１６がオフの期間にはチョークコイル１８に蓄えられた電力を元に、チョークコイル１８→パルストランス２４の２次巻線→ランプ５０→ダイオード１７→チョークコイル１８の経路に電流が流れる。コンデンサ１９はランプ５０への出力を平滑化し、ランプ電流のリップル成分を抑制又は除去する。電流検出抵抗２０によってランプ電流が検出され、検出ランプ電流に比例する電圧信号（検出電圧）と、ランプ電流の設定値に比例する制御部５００からの可変の電圧信号が誤差増幅器２２に入力される。誤差増幅器２２の両入力が等しくなるようにＰＷＭ制御回路２１によって半導体スイッチ１６の導通時間がＰＷＭ制御される。これにより、蓄電素子１５を電源とするランプ５０の定電流直流点灯が行われる。
【００２３】
ランプ５０の直流点灯中に蓄電素子１５の電圧は低下していく。そして蓄電素子１５の電圧が、電流制限回路の電圧降下をランプ電圧に加えた電圧（以下、「動作下限電圧」という）以下となった時点で、上記の定電流点灯は維持されなくなる。従って、ランプ５０の１回の点灯は、遅くとも充電電圧が動作下限電圧に達する前に終了する必要がり、その後再度点灯を行う場合には再充電を行う必要がある。ここで、充電完了電圧をＶ１、動作下限電圧をＶ０、充電完了電圧と動作下限電圧の差である有効充電電圧をΔＶ、ランプ電圧をＶＬ、チョークコイル１８による電圧降下をＶｄとすると、ΔＶ＝Ｖ１−Ｖ０＝Ｖ１−（ＶＬ＋Ｖｄ）となる。なお、本実施例において、ランプ電圧ＶＬは一定であるものとする。
【００２４】
前述したように、チョークコイル１８の温度が上昇すると、その銅損増加に伴い直流抵抗が増加する。即ち、チョークコイル１８の検出温度をＴとすると、電圧降下はＴの関数Ｖｄ（Ｔ）となる。従って、充電完了電圧Ｖ１が一定である場合、温度Ｔが上昇すると電圧降下Ｖｄが増加して有効充電電圧ΔＶが減少する。有効充電電圧ΔＶが減少すると、１回の点灯で定電流制御可能な時間（以下、「定電流保持期間」という）も短縮される。本実施例では、制御部５００は、温度測定部２５（以下、「サーミスタ２５」という）によって検出されるチョークコイル１８の温度の上昇に対して昇圧充電回路２００における充電完了電圧を上昇させるものである。
【００２５】
本実施例では、サーミスタ２５は、降圧コンバータ回路３００の巻線部品、即ち、チョークコイル１８の温度を検出する。サーミスタ２５はＰＴＣサーミスタ又はＮＴＣサーミスタからなり、チョークコイル１８に接触配置される。サーミスタ２５はチョークコイル１８の巻線表面に直接接触配置されることが好ましいが、巻線表面に巻かれる絶縁テープを介して接触配置されていてもよいし、コイルのコアに接触配置されて巻線の温度を間接的に測定するようにしてもよい。
【００２６】
図１に示すように、定電圧源ｖｓ（例えば、制御部５００に用いられるマイコンの基準電圧）とグランド（蓄電素子１５の低電位側配線と同電位）との間にサーミスタ２５と抵抗２６が直列接続される。サーミスタ２５と抵抗２６の接点の電圧ｖｔが制御部５００に入力され、この電圧ｖｔに応じて制御部５００はＰＷＭ制御回路２１のオン幅を決定する。当業者には分かるように、サーミスタ２５がＰＴＣサーミスタの場合、検出温度の上昇に対して電圧ｖｔは上昇し、サーミスタ２５がＮＴＣサーミスタの場合、検出温度の上昇に対して電圧ｖｔは減少する。当然に、サーミスタ２５を定電圧源ｖｓ側に、抵抗２６をグランド側に接続してもよい。
【００２７】
制御部５００は、内部の参照テーブル等を利用して、サーミスタ２５によって検出される温度Ｔに基づいてチョークコイル１８の電圧降下Ｖｄ（Ｔ）を演算する。そして、制御部５００は、Ｖ１（Ｔ）＝ΔＶ＋ＶＬ＋Ｖｄ（Ｔ）となるように、即ち、電圧降下Ｖｄと充電完了電圧Ｖ１の差が、有効充電電圧ΔＶとランプ電圧ＶＬの合計で一定となるように、昇圧充電回路２００（ＰＷＭ制御回路７）を制御する。これにより、電圧降下Ｖｄの上昇に応じて充電完了電圧Ｖ１が上昇するので、従来の構成で発生していたようなコイル温度上昇時の有効充電電圧ΔＶ及び定電流保持期間の減少が補償される。言い換えると、有効充電電圧ΔＶ及び定電流保持時間はチョークコイル１８の温度にかかわらず一定に維持される。なお、補正係数αを適宜用いて、Ｖ１（Ｔ）＝ΔＶ＋ＶＬ＋α×Ｖｄ（Ｔ）、のようにしてもよい。例えば、昇圧充電回路２００の素子耐圧等を考慮し、α＜１として充電完了電圧Ｖ１の上昇を制限してもよい。
【００２８】
このように、チョークコイル１８の温度上昇をフィードバックして充電完了電圧Ｖ１を上昇させる構成としたので、チョークコイル１８の温度にかかわらず有効充電電圧ΔＶは一定に維持される。これにより、チョークコイル１８の高温時の定電流保持時間の減少が回避されるとともに、低温時の充電完了電圧Ｖ１の不要な上昇を回避して回路効率を維持できる。
【００２９】
変形例１．
上記実施例では、チョークコイル１８の電圧降下Ｖｄを補償する構成を示したが、チョークコイル１８及びパルストランス２４の２次巻線における電圧降下を補償する構成としてもよい。これはパルストランス２４の２次巻線についても部品配置や巻線仕様によっては温度上昇による電圧降下の増加が発生し得るという考えに基づく。
【００３０】
例えば、図１の回路構成において、制御部５００は、上述したようにチョークコイル１８の検出温度Ｔに基づいてその電圧降下Ｖｄ（Ｔ）を演算するとともに、チョークコイル１８の検出温度Ｔ又は電圧降下Ｖｄ（Ｔ）に基づいてパルストランス２４の温度Ｔ´又は電圧降下Ｖｄ´（Ｔ´）を推定して演算するようにしてもよい。そして、制御部５００は、Ｖ１（Ｔ、Ｔ´）＝ΔＶ＋ＶＬ＋Ｖｄ（Ｔ）＋Ｖｄ´（Ｔ´）となるように、即ち、合計電圧降下Ｖｄ＋Ｖｄ´と充電完了電圧Ｖ１の差が一定となるように、昇圧充電回路２００（ＰＷＭ制御回路７）を制御する。これにより、有効充電電圧ΔＶ及び定電流頬時時間はチョークコイル１８及びパルストランス２４の温度にかかわらず一定に維持され、より厳密な有効充電電圧ΔＶ及び定電流保持時間の制御及び管理が可能となる。
【００３１】
変形例２．
変形例１では、パルストランス２４での電圧降下をチョークコイル１８の温度又は電圧降下を利用して間接的に検出したが、パルストランス２４の温度を直接検出する構成としてもよい。そこで、本変形例では、パルストランス２４の２次巻線とサーミスタとの絶縁性が確保されるという前提の下、パルストランス２４の温度を充電完了電圧Ｖ１にフィードバックする構成を示す。
【００３２】
図２に本変形例の点灯装置の回路構成を示す。図１の点灯装置の回路構成とは、サーミスタ２５の配置が異なる以外は同様であるので、同一部分の説明は省略する。本変形例では、サーミスタ２５はパルストランス２４に接触配置される。サーミスタ２５は、パルストランス２４の２次巻線との絶縁性が確保されることを条件に、２次巻線に直接接触配置されていてもよいし、１次巻線を介して接触配置されていてもよいし、２次巻線表面に巻かれる絶縁テープを介して接触配置されていてもよいし、コイルのコアに接触配置されて巻線の温度を間接的に測定するようにしてもよい。
【００３３】
本変形例では、パルストランス２４の２次巻線の温度をＴ´とすると、制御部５００は、サーミスタ２５によって検出される検出温度Ｔ´に基づいてパルストランス２４の２次巻線の電圧降下Ｖｄ´（Ｔ´）を演算し、Ｖ１（Ｔ）＝ΔＶ＋ＶＬ＋Ｖｄ´（Ｔ´）となるように、ＰＷＭ制御回路７を制御する。即ち、電圧降下Ｖｄ´と充電完了電圧Ｖ１の差が、有効充電電圧ΔＶとランプ電圧ＶＬの合計で一定となるように昇圧充電回路２００が制御される。
【００３４】
なお、本変形例は単独で用いてもよいし、実施例で示したチョークコイル１８の温度を検出する構成と併せて用いてもよい。即ち、制御部５００は２つのサーミスタからの入力値を受け、チョークコイル１８での電圧降下Ｖｄ（Ｔ）とパルストランス２４での電圧降下Ｖｄ´（Ｔ´）をそれぞれ直接演算するようにしてもよい。この場合の制御部５００と昇圧充電回路２００による充電完了電圧Ｖ１の制御は変形例１の場合と同様である。
【００３５】
以上のように、上記実施例及び変形例の閃光放電ランプ点灯装置によると、電流制御回路の巻線部品が低温状態にある場合の回路効率及び使用条件を損なうことなく、高温状態における定電流制御時間を確保できる。
【００３６】
なお、上記実施例では最も好適な例を示したが、実施例は以下のように変形可能である。
（１）上記実施例では、昇圧回路としてフルブリッジインバータと昇圧トランスの組合せを用いているが、ハーフブリッジインバータと昇圧トランスの組合せ、フライバックコンバータ、フォワードコンバータ等を用いてもよい。また、昇圧トランスとして１つの２次巻線を持つものを示しているが、複数の２次巻線を設け、２次巻線のそれぞれに整流回路を設けてその出力を直列接続して多段化してもよい。また、昇圧トランスの１次巻線を複数設け、それらの１次巻線を並列使用してもよい。またさらに、フルブリッジインバータの駆動方法はハードスイッチング回路でもソフトスイッチング回路であってもよい。
（２）上記実施例では、温度測定部にサーミスタを用いたが、測温抵抗、所定の温度係数を有する抵抗等、他の感温素子であってもよい。
（３）閃光放電ランプとしてキセノンランプを示したが、本発明の点灯装置は、フラッシュ点灯可能なランプであれば他の種類のランプに適用することも可能である。
【符号の説明】
【００３７】
１５．蓄電素子
１８．チョークコイル（巻線部品）
２４．パルストランス（巻線部品）
２５．サーミスタ（温度測定部）
５０．閃光放電ランプ
２００．昇圧充電回路
３００．降圧コンバータ回路
４００．イグナイタ回路
５００．制御部
【図１】
2014032754.tif 000003
【図２】
2014032754.tif 000004